(57)【要約】    【課題】  冷暖房された空気が吸入口に直ちに吸い込まれずに吸入口から遠くまで届くことができる天井型冷暖房機を提供する。    【解決手段】  建物の天井に設けられ、その前面に吸入口と吐出口がともに形成された天井型冷暖房機において、前記吐出口に着脱可能に設けられ、吐出空気を建物の室内の床面まで伝えるダクトを備え、このダクトを、ベローズ(bellows)またはテレスコープ(Telescope)タイプとした。また、ダクトは、ダクト部が長手方向に伸縮し得るようにダクト部を案内するガイド部をさらに備えるのが好ましい。【選択図】図３
2006189246.tif 000002
【特許請求の範囲】
【請求項１】
建物の天井に設けられ、その前面に吸入口と吐出口がともに形成された天井型冷暖房機において、
前記吐出口に着脱可能に設けられ、吐出空気を建物の室内の床面まで伝えるダクトを備え、
前記ダクトはベローズ(bellows)またはテレスコープ(Telescope)タイプであることを特徴とする天井型冷暖房機。
【請求項２】
前記ダクトは、該ダクト部が長手方向に伸縮し得るように前記ダクト部を案内するガイド部をさらに備える請求項１記載の天井型冷暖房機。
【請求項３】
前記ガイド部は、前記ダクトの一端を伸縮させる移動部と、前記移動部を駆動させる駆動部と、よりなる請求項２記載の天井型冷暖房機。
【請求項４】
前記移動部は、前記ダクトの一端を伸縮自在に回転するベルトと、前記ベルトが介在され、ダクトの両端に所定間隔で設けられる駆動プーリ及び被動プーリと、よりなり、
前記駆動部は、前記駆動プーリに連結されるべく天井に設けられ、前記駆動プーリを駆動させる駆動モータと、前記駆動モータを正逆回転させるべく電気的に接続されたスイッチと、よりなる請求項３記載の天井型冷暖房機。
【請求項５】
前記ダクトは、その先端に設けられて吐出空気を容易に吐き出すファンをさらに備える請求項１記載の天井型冷暖房機。
【請求項６】
前記ダクトは、吐出口から下向きにかつ吸入口の外側に向かって遠ざかるように斜めに設けられる請求項１記載の天井型冷暖房機。
【発明の詳細な説明】
【技術分野】
【０００１】
本発明は、天井型冷暖房機に関し、さらに詳細には、冷暖房機の吐出空気を吸入口から遠くにまで届けるようにし、室内を均一に冷／暖房し得る天井型冷暖房機に関する。
【背景技術】
【０００２】
一般に、エアコンとは、エアーコンディショナー(Air Conditioner)の略で、調温、調湿、調和する装置で、クーラーとヒーターを組み合わせた空気調和装置、すなわち冷暖房機のことである。
【０００３】
前記冷暖房機には、室内天井にその前面が露出するように設置される天井型と、床に据え置くスタンドタイプの床置型と、室内壁に取り付けられる壁掛型と、冷暖房機の一部が壁と天井に埋め込まれる天井カセット型がある。
【０００４】
図１は従来の一般的な天井カセット型冷暖房機の側面図であり、図２は図１の冷暖房機の床面に形成された吸入口と吐出口を示す図である（特許文献１）。
【０００５】
同図に示すように、建物の天井１に天井カセット型冷暖房機２が設置され、この冷暖房機２の中央部には、室内の空気を吸い込む吸入口３と、前記吸入口３に吸い込まれて冷暖房された空気を吐き出す吐出口４と、が備えられている。
【０００６】
【特許文献１】特開２００３−２１４６９６号公報
【発明の開示】
【発明が解決しようとする課題】
【０００７】
しかし、以上のように構成された前記冷暖房機２では、吸入口３と吐出口４間の距離があまりにも短いために、吐出口４から吐き出された空気の一部が室内の床面まで届かずに再度吸入口３に吸い込まれてしまうことがあった。
【０００８】
特に、暖かい空気は冷たい空気よりも軽いので、室内の床部へ向かずに天井に停まっていて、吸入口３に吸い込まれやすいという構造的な問題がある。
【０００９】
本発明は、かかる従来の問題点を解決するためのもので、その目的は、冷暖房された空気が吸入口に直ちに吸い込まれずに吸入口から遠くまで届くことができる天井型冷暖房機を提供することにある。
【００１０】
また、本発明の他の目的は、天井型冷暖房機から吐出される冷暖房された空気を、自動的に遠くまで送り出すことにより、室内を均一に保温及び保冷することができる天井型冷暖房機を提供することにある。
【課題を解決するための手段】
【００１１】
上記目的を達成するために、本発明は、建物の天井に設けられ、その前面に吸入口と吐出口がともに形成された天井型冷暖房機において、前記吐出口に着脱可能に設けられ、吐出空気を建物の室内の床面まで伝えるダクトを備え、前記ダクトは、ベローズ(bellows)またはテレスコープ(Telescope)タイプであることを特徴とする。
【００１２】
前記ダクトは、天井に沿って伸縮する天井ダクトと、前記天井ダクトの先端に連結され、壁面に沿って上下に伸縮する壁面ダクトと、よりなることを特徴とする。
【００１３】
前記ダクトは、その長手方向に伸縮自在に案内するガイド部をさらに備えることを特徴とする。
【００１４】
前記ガイド部は、前記ダクトの一端を伸縮させる移動部と、前記移動部を駆動させる駆動部と、よりなることを特徴とする。
【００１５】
前記移動部は、前記ダクトの一端を伸縮自在に回転するベルトと、前記ベルトが介在され、ダクトの両端に所定間隔で設けられる駆動プーリ及び被動プーリと、よりなる。また、前記駆動部は、前記駆動プーリに連結されるべく天井に設けられ、前記駆動プーリを駆動させる駆動モータと、前記駆動モータを正逆回転させるべく電気的に接続されたスイッチと、よりなることを特徴とする。
【００１６】
また、前記駆動モータにセンサーを設置し、前記センサーを制御する無線スイッチを備えることにより、前記ダクトを無線で調節することができる。
【００１７】
前記移動部は、ダクトに設けられるローラと、前記ローラを案内するべく天井に設けられるガイド部材と、を備えるか、ダクトに設けられるピニオンと、前記ピニオンを案内するべく天井に設けられるラックと、を備えることにより、ダクトを手動で移動させることができる。
【００１８】
前記ダクトは、その先端に設けられて吐出空気を容易に吐き出すファンをさらに備えることを特徴とする。
【００１９】
前記ダクトは、吐出口から下向きにかつ吸入口の外側に向かって遠ざかるように斜めに設けられることを特徴とする。
【発明の効果】
【００２０】
本発明は、空気を天井型冷暖房機の吸入口から遠くまで吹き出すべくダクトを吐出口に伸縮自在に設けることにより、建物の内部を均一に冷暖房することができるという効果がある。
【００２１】
また、本発明は、伸縮ダクトを自動的に伸縮させることができるという利点がある。
【発明を実施するための最良の形態】
【００２２】
以下、添付した図面を参照して本発明の好適な実施例を詳細に説明する。
【００２３】
図３は本発明の天井型冷暖房機の底面図であり、図４ないし図８は本発明の第１ないし第５の実施例を示す図である。
【００２４】
図３に示すように、本発明の天井型冷暖房機１０は、その中央部に室内空気を吸い込む吸入口２０が形成されており、吸入口２０の外側に形成された多数の吐出口１１にはダクト３０が吐出口１１の数だけ形成されている。好ましくは、このダクト３０を管状にし、ダクトの数を２個または４個とする。
【００２５】
図４は、本発明の第１の実施例を示す図である。同図に示すように、ダクト３０は、吐出口１１から天井（１：図１参照）とこの天井につながる壁面とに沿って設けられ、このとき、壁面から室内の床面の近くまで届くようにその長さを任意に設計することにより、冷暖房された空気が室内に均一に拡散できるようにする。このダクト３０は、ブラケット３１を用いて天井や壁面に固定でき、天井ダクト３０ａと壁面ダクト３０ｂとに分けて相互に結合または分離することができる。
【００２６】
図５は、本発明の第２の実施例を示す図である。第２の実施例によるダクト４０は、吐出口１１に着脱可能に設置し、ベローズタイプ（蛇腹状）で伸縮自在に構成する。このとき、伸縮自在のダクト４０は、その長手方向に設けられたガイド部により案内されるべく、ダクト４０の一端がガイド部の固定具４３によってガイド部のローラー４５に固定される。このローラー４５は、ガイド部材４７に案内可能に取り付けられる。また、前記ダクト４０は天井ダクト４０ａと壁面ダクト４０ｂとに分けられることができる。この際、それぞれのガイド部を設置すると、天井ダクト４０ａは天井に沿って移動でき、壁面ダクト４０ｂは壁面に沿って垂直移動できるようになる。
【００２７】
図６は、本発明の第３の実施例を示す図である。第３の実施例によるダクト５０は、吐出口１１に着脱可能に設置し、テレスコープタイプで多段に伸縮自在に構成する。このとき、伸縮自在のダクト５０は、その長手方向に設けられた他の実施例のガイド部により案内されるべく、ダクト５０の一端がガイド部の固定具５３によってガイド部のピニオン５５に固定される。このピニオン５５は、ラック５７に案内可能に取り付けられる。また、前記ダクト５０は天井に沿って移動される。一方、壁面ダクト５０ｂはアンテナのように伸縮できて、壁面に沿って垂直移動される。
【００２８】
図７は、本発明の第４の実施例を示す図である。第４の実施例によるダクト６０のうち天井ダクト６０ａは、その移動を自動的に行うためにダクト６０の一端にガイド部を備える。該ガイド部は、天井ダクト６０ａを移動させる移動部と移動部を駆動する駆動部とからなる。天井ダクト６０ａは移動部の固定具６２によって移動部のベルト６１の一端に固定され、該ベルト６１は駆動プーリ６３及び被動プーリ６５に介在され、該駆動プーリ６３は駆動部の駆動モータ６７に回転可能に設置され、該駆動モータ６７はスイッチ６９によって正逆回動する。前記スイッチ６９は有線で駆動モータ６７を制御し、このスイッチ６９と駆動モータ６７に無線装置のセンサーを設置すると、無線制御が可能になる。
【００２９】
一方、壁面に位置する壁面ダクト６０ｂは、別途の伸縮部８０を備えることで自動的に伸縮させることができる。この伸縮部８０において、ロープ８５の一端はモータ８１とこのモータ８１により回転させられるプーリ８３とに固定され、プーリ８３の正逆回転によって巻かれたりほどかれたりし、ロープ８５の他端は壁面ダクト６０ｂの末端に設置される。これにより、壁面ダクト６０ｂの一端は上下に伸縮できるようになる。また、モータ８１は別途のスイッチによって制御される。
【００３０】
図８は、本発明の第５の実施例を示す図である。第５の実施例によるダクト７０は、吐出口１１から下向きにかつ吸入口２０の外側に向かって遠ざかるように斜めに設けられる。このダクト７０も図７の伸縮部８０を適用して自動的に伸縮させることができる。また、ダクト７０の末端にファン９０をさらに設置して吐出空気を吐き出し易くし、これは前述したダクト３０、４０、５０、６０にも適用することができる。
【００３１】
このように、本発明は、ダクトを手動または自動で伸縮させて、吐出空気を室内に分散させて供給することにより、吐き出された空気が直ちに吸入口に吸い込まれることを抑え、室内の空気の全体的な循環が図られ、室内全体が均一に冷暖房される。
【００３２】
以上、本発明の好適な実施例について詳述したが、本発明は上述の実施形態に限定されるものではなく、本発明の属する技術分野における通常の知識を有する者によって本発明の請求範囲を外れない範囲内で色々な変形及び変更が可能であり、このような変形及び変更も本発明の範囲に属するものとして理解すべきである。
【図面の簡単な説明】
【００３３】
【図１】従来の天井型冷暖房機の側面図である。
【図２】従来の天井型冷暖房機の底面図である。
【図３】本発明の天井型冷暖房機の底面図である。
【図４】本発明の第１の実施例を示す図である。
【図５】本発明の第２の実施例を示す図である。
【図６】本発明の第３の実施例を示す図である。
【図７】本発明の第４の実施例を示す図である。
【図８】本発明の第５の実施例を示す図である。
【符号の説明】
【００３４】
１０    天井型冷暖房機
３，２０    吸入口
４，１１    吐出口
３０，４０，５０，６０，７０ダクト
９０    ファン
【図１】
2006189246.tif 000003
【図２】
2006189246.tif 000004
【図３】
2006189246.tif 000005
【図４】
2006189246.tif 000006
【図５】
2006189246.tif 000007
【図６】
2006189246.tif 000008
【図７】
2006189246.tif 000009
【図８】
2006189246.tif 000010